(57)【要約】【課題】  スプールをモータで駆動する電動リールにおいて、周囲の環境にかかわらず仕掛けの質量に応じた一定の速度で釣り糸を繰り出せるようにする。【解決手段】  電動リールは、リール本体と、スプールと、第１モータと、回転伝達機構と、第１逆転禁止機構と、正転禁止機構と、第２逆転禁止機構と、切換部と、繰り出し及び巻取スイッチＬＦ，ＰＷと、リール制御部１００とを備えている。リール制御部は、第１モータを設定された回転方向に回転制御するとともに、回転方向設定手段により第１モータの回転方向が糸繰り出し方向に設定されると、切換手段を制御して第１逆転禁止機構を逆転許可状態しかつ正転禁止機構を正転禁止状態にし、糸巻取方向に設定されると第１逆転禁止機構を逆転禁止状態にしかつ正転禁止機構を正転許可状態にする。【選択図】      図１４
2005065653.tif 000002
【特許請求の範囲】
【請求項１】
釣り竿に装着される電動リールであって、
ハンドルを有し前記釣り竿に装着されるリール本体と、
前記リール本体に回転自在に装着される糸巻用のスプールと、
前記スプールを回転させる第１モータと、
前記第１モータの回転を前記スプールに減速して伝達する遊星歯車機構を含み、前記遊星歯車機構を介して前記第１モータ及び前記ハンドルの回転を前記スプールに伝達する回転伝達機構と、
前記第１モータの糸繰り出し方向の逆転を禁止する逆転禁止状態と、前記逆転を許可する逆転許可状態とを取り得る第１逆転禁止機構と、
前記ハンドルの糸巻取方向の正転を禁止する正転禁止状態と、前記正転を許可する正転許可状態とを取り得る正転禁止機構と、
前記ハンドルの糸繰り出し方向の逆転を禁止する第２逆転禁止機構と、
前記第１逆転禁止機構及び前記正転禁止機構の状態を切り換える切換手段と、
前記第１モータの回転方向を糸繰り出し方向又は糸繰り出し方向に選択的に設定する回転方向設定手段と、
前記回転方向設定手段により回転方向が設定されると、前記第１モータを設定された回転方向に回転制御するとともに、前記回転方向設定手段により前記第１モータの回転方向が前記糸繰り出し方向に設定されると、前記切換手段を制御して前記第１逆転禁止機構を前記逆転許可状態しかつ前記正転禁止機構を前記正転禁止状態にし、前記糸巻取方向に設定されると前記第１逆転禁止機構を前記逆転禁止状態にしかつ前記正転禁止機構を前記正転許可状態にする制御手段と、
を備えた電動リール。
【請求項２】
前記遊星歯車機構は、
前記第１モータの出力軸が回転不能に連結された第１太陽ギアと、前記第１太陽ギアに噛み合う複数の第１遊星ギアと、前記第１遊星ギアに噛み合う内歯ギアと、前記第１遊星ギアを回転方向に間隔を隔てて回転自在に支持し前記出力軸に回転自在に装着された第１キャリアとを有する第１遊星部、及び
前記第１キャリアに回転不能に設けられ前記出力軸に回転自在に装着された第２太陽ギアと、前記第１太陽ギアと前記内歯ギアとに噛み合う複数の第２遊星ギアと、前記第２遊星ギアを回転方向に間隔を隔てて回転自在に支持し前記出力軸に回転自在に装着された第２キャリアとを有する第２遊星部を有し、
前記内歯ギアは前記スプールの内周面に形成されている、請求項１に記載の電動リール。
【請求項３】
前記切換手段は、
前記第１逆転禁止機構の前記逆転禁止状態及び前記逆転許可状態を切り換える第１切換機構と、
前記正転禁止機構の前記正転禁止状態及び前記正転許可状態を切り換える第２切換機構と、
前記制御手段により制御され、前記第１及び第２切換機構を動作させる動作機構とを有する、請求項１又は２に記載の電動リール。
【請求項４】
前記スプールに巻き付けられる釣り糸に作用する張力を検出する張力検出手段をさらに備える、請求項１から３のいずれかに記載の電動リール。
【請求項５】
前記張力検出手段は、
前記ハンドルの回転軸と前記リール本体との間に設けられたトルク検出手段と、
前記スプールに巻き付けられた釣り糸の糸巻径を検出する糸巻径検出手段とを有し、
前記トルク検出手段で検出されたトルクを糸巻径に応じて補正することにより前記張力を検出する、請求項４に記載の電動リール。
【請求項６】
前記回転伝達機構に設けられ、前記スプールの糸繰り出し方向の回転を制動するドラグ機構をさらに備える、請求項１から５のいずれかに記載の電動リール。
【請求項７】
前記回転伝達機構に設けられ、前記ハンドルの回転を前記スプールに伝達・遮断するクラッチ機構をさらに備える、請求項１から６のいずれかに記載の電動リール。
【請求項８】
前記動作機構は、
前記第１切換機構が前記第１逆転禁止機構を逆転禁止状態に切り換えると前記第２切換機構が前記正転禁止機構を正転許可状態にするとともに、前記第１切換機構が前記第１逆転禁止機構を逆転許可状態に切り換えると前記第２切換機構が前記正転禁止機構を正転禁止状態にするように前記第１及び第２切換機構を連動して動作させる連動機構と、
前記連動機構を動作させる駆動機構とを有し、
前記制御手段は、前記駆動機構を制御する、請求項３から７のいずれかに記載の電動リール。
【請求項９】
前記駆動機構は、
前記リール本体に装着された第２モータと、
前記連動機構が連結され、前記第２モータの回転を減速する減速機構とを有し、
前記制御手段は、前記回転方向設定手段により前記第１モータの回転方向が前記糸繰り出し方向に設定されると、前記第２モータを回転させて前記第１逆転禁止機構を前記逆転許可状態にし、前記糸巻取方向に設定されると前記第２モータを回転させて前記第１逆転禁止機構を前記逆転禁止状態にする、請求項８に記載の電動リール。
【請求項１０】
前記動作機構は、
前記第１切換機構を動作させる第１駆動機構と、
前記第２切換機構を動作させる第２駆動機構とを有する、請求項３から７のいずれかに記載の電動リール。
【請求項１１】
前記第１及び第２駆動機構は、前記第１及び第２切換機構を動作させる第１及び第２リニアアクチュエータを各別に有し、
前記制御手段は、前記回転方向設定手段により前記第１モータの回転方向が前記糸繰り出し方向に設定されると前記第１リニアアクチュエータを制御して第１逆転禁止機構を前記逆転許可状態しかつ前記第２リニアアクチュエータを制御して前記正転禁止機構を前記正転禁止状態にし、前記糸巻取方向に設定されると前記第１リニアアクチュエータを制御して前記第１逆転禁止機構を前記逆転禁止状態にしかつ前記第２リニアアクチュエータを制御して前記正転禁止機構を前記正転許可状態にする、請求項１０に記載の電動リール。
【請求項１２】
前記第１逆転禁止機構は、前記第１モータの出力軸に装着され少なくとも前記第１モータの逆転に連動して回転する第１爪車と、前記第１爪車に接触する逆転禁止位置と離反する逆転許可位置とに揺動自在に前記リール本体に装着された第１爪部材とを有し、
前記第２逆転禁止機構は、前記ハンドルの回転軸に回転不能に設けられた第２爪車と、前記第２爪車に接触する逆転禁止位置と離反する逆転許可位置とに揺動自在に前記リール本体に装着されかつ前記爪車に向けて付勢されている第２爪部材とを有し、
前記正転禁止機構は、前記第２爪車に接触する正転禁止位置と離反する正転許可位置とに揺動自在に前記リール本体に装着された第３爪部材を有する、請求項３から１１のいずれかに記載の電動リール。
【請求項１３】
前記第１切換機構は、前記第１爪部材と一体で揺動する第１アーム部を有し、
前記第２切換機構は、前記第３爪部材と一体で揺動する第２アーム部を有し、
前記動作機構は前記第１及び第２アーム部を介して前記第１及び第２切換機構を動作させる、請求項１２に記載の電動リール。
【発明の詳細な説明】
【技術分野】
【０００１】
本発明は、釣り用リール、特に、モータでスプールが駆動される電動リールに関する。
【背景技術】
【０００２】
船釣りには、スプールをモータで駆動する電動リールが広く使用されている。従来の電動リールは、ハンドルを有し釣り竿に装着されるリール本体と、リール本体に回転自在に装着されるスプールと、スプール駆動用のモータと、ハンドル及びモータの回転をスプールに伝達する回転伝達機構とを備えている。リール本体の内部には、モータの糸繰り出し方向の回転を禁止する第１ワンウェイクラッチと、ハンドルが装着されるハンドル軸の糸繰り出し方向の回転を禁止する第２ワンウェイクラッチとが設けられている。回転伝達機構には、スプールの糸繰り出し方向の回転を制動するドラグ機構と、ハンドルの回転をスプールに伝達・遮断するクラッチ機構とが設けられている。
【０００３】
モータは、たとえばスプール内部に装着されており、回転伝達機構は、スプール内部でモータとスプールとの間に配置された、減速用のたとえば遊星歯車機構を有している。遊星歯車機構は、たとえば２段減速のものであり、第１段の第１太陽ギアがモータに回転不能に装着され、第１遊星歯車が装着された第１キャリアに第２段の第２太陽ギアが装着されている。また、回転伝達機構は、ハンドル軸に設けられたメインギアと、メインギアに噛み合うようにモータの出力軸と同芯にリール本体に回転自在に装着されたピニオンギアとを有している。ピニオンギアは、遊星歯車機構の第２キャリアと連結する伝達位置と離反する離反位置とに軸方向に移動する。この第２キャリアとピニオンギアとによりクラッチ機構が構成されている。
【０００４】
従来の電動リールでは、クラッチオン状態でハンドルを糸巻取方向に回転させると、メインギアが回転し、その回転がピニオンギア及び２段の遊星歯車機構を介してスプールに伝達される。このとき、モータが糸繰り出し方向に回転すると、第１太陽ギアが回転してしまいハンドルの回転をスプールに伝達できないため、第１ワンウェイクラッチが設けられている。また、モータによりスプールを糸巻取方向に回転させることもできる。このとき、ハンドル軸が糸繰り出し方向に回転すると、第２キャリアが回転してしまい、モータの回転がスプールに伝達されないため、第２ワンウェイクラッチが設けられている。
【０００５】
一方、釣り糸を繰り出すときには、クラッチ機構をクラッチオフ状態にしてピニオンギアと第２キャリアとの連結を解除する。すると、スプールが自由回転可能状態になり、仕掛けの自重によりスプールが糸繰り出し方向に回転する。このとき、遊星歯車機構も回転するため、その回転による回転抵抗により釣り糸の繰り出し速度が遅くなることがある。釣り糸の繰り出し速度が遅くなると、特に船釣りなどで多くの釣り人が競って釣りを行っている場合、手返しが遅くなり釣果に悪影響を及ぼすおそれがある。これを防止するために、クラッチ機構をクラッチオフ状態にしてモータを糸繰り出し方向に回転させる糸送りモードを採用したものが従来知られている（たとえば、特許文献１参照）。糸送りモードでは、クラッチオフ状態でモータを回して遊星歯車機構の回転させ、遊星歯車機構の回転による回転抵抗を低減している。これにより、釣り糸の繰り出し速度を糸送りモードを採用しない場合に比べて速くすることができる。
【特許文献１】特開２００３-１９９４６３号公報
【発明の開示】
【発明が解決しようとする課題】
【０００６】
前記従来の糸送りモードによる釣り糸の繰り出しでは、基本的には仕掛けの自重による自由落下により釣り糸を繰り出している。このため、周囲の環境によって繰り出し速度が変化するおそれがある。たとえば、周囲の温度により遊星歯車機構に充填されたグリースなどの潤滑剤の粘度が変化し、回転抵抗の変動が生じて繰り出し速度が変化するおそれがある。
【０００７】
本発明の課題は、スプールをモータで駆動する電動リールにおいて、周囲の環境にかかわらず仕掛けの質量に応じた一定の速度で釣り糸を繰り出せるようにすることにある。
【課題を解決するための手段】
【０００８】
発明１に係る電動リールは、釣り竿に装着されるリールであって、リール本体と、スプールと、第１モータと、回転伝達機構と、第１逆転禁止機構と、正転禁止機構と、第２逆転禁止機構と、切換手段と、回転方向設定手段と、制御手段とを備えている。リール本体は、ハンドルを有し釣り竿に装着されるものである。スプールは、リール本体に回転自在に装着される糸巻用のものである。第１モータは、スプールを回転させるものである。回転伝達機構は、第１モータの回転をスプールに減速して伝達する遊星歯車機構を含み、遊星歯車機構を介して第１モータ及びハンドルの回転をスプールに伝達する機構である。第１逆転禁止機構は、第１モータの糸繰り出し方向の逆転を禁止する逆転禁止状態と、逆転を許可する逆転許可状態とを取り得る機構である。正転禁止機構は、ハンドルの糸巻取方向の正転を禁止する正転禁止状態と、正転を許可する正転許可状態とを取り得る機構である。第２逆転禁止機構は、ハンドルの糸繰り出し方向の逆転を禁止する機構である。切換手段は、第１逆転禁止機構及び正転禁止機構の状態を切り換える手段である。回転方向設定手段は、第１モータの回転方向を糸繰り出し方向又は糸繰り出し方向に選択的に設定する手段である。制御手段は、回転方向設定手段により回転方向が設定されると、第１モータを設定された回転方向に回転制御するとともに、回転方向設定手段により第１モータの回転方向が糸繰り出し方向に設定されると、切換手段を制御して第１逆転禁止機構を逆転許可状態しかつ正転禁止機構を正転禁止状態にし、糸巻取方向に設定されると第１逆転禁止機構を逆転禁止状態にしかつ正転禁止機構を正転許可状態にする手段である。
【０００９】
この電動リールでは、釣り糸を繰り出すときには、回転方向設定手段により回転方向を糸繰り出し方向に設定する。これにより、切換手段が制御されて第１逆転禁止機構が逆転許可状態になりかつ正転禁止機構が正転禁止状態になる。この状態で第１モータを糸繰り出し方向に回転させると、正転禁止機構によりハンドルの正転が禁止されているため、遊星歯車機構のキャリアの回転が禁止され、第１モータの回転が遊星歯車機構を介してスプールに伝達されスプールが糸繰り出し方向に回転し、先端に仕掛けが装着された釣り糸が第１モータの回転によりスプールから繰り出される。このとき、ハンドルは正転機構により正転が禁止されているので、第１モータが回転してもハンドルが回転することはない。また、第２逆転禁止機構により逆転も禁止されているのでハンドルはロックされた状態になる。この糸繰り出し時に第１モータの回転速度を仕掛けの自然落下速度に応じて制御すると、ライントラブルを防止して仕掛けを素早く落下させることができる。そして、仕掛けが所望の水深に到達すると、第１モータの回転を停止させるとともに、第１逆転禁止機構を逆転禁止状態にすることにより釣り糸の繰り出しが停止して仕掛けを所望の水深に配置できる。
【００１０】
この状態で釣り糸を巻き取る方向ときには、回転方向設定手段により回転方向を糸繰り出し方向に設定する。これにより、制御手段により切換手段が制御されて第１逆転禁止機構が逆転禁止状態になりかつ正転禁止機構が正転許可状態になる。このとき、第２逆転禁止機構によりハンドルの糸繰り出し方向の回転が禁止されている。この状態で第１モータを糸巻取方向に回転させると、第２逆転禁止機構によりハンドルの逆転が禁止されているため、遊星歯車機構のキャリアの回転が禁止され、第１モータの回転が遊星歯車機構を介してスプールに伝達されスプールが糸巻取方向に回転し、先端に仕掛けが装着された釣り糸が第１モータの回転によりスプールに釣り糸が巻き取られる。このとき、ハンドルを糸巻取方向に回すと、第２逆転禁止機構により第１モータの逆転が禁止されているため、ハンドルの回転が遊星歯車機構を介してスプールに伝達され第１モータに加えてハンドルの回転も作用してスプールがさらに高速で巻取方向に回転する。ここでは、第１モータの回転によりスプールを糸繰り出し方向に回転させて釣り糸を繰り出しできるので、周囲の環境にかかわらず仕掛けの自重に応じた一定の速度で釣り糸を繰り出せるようになる。
【００１１】
発明２に係る電動リールは、発明１に記載のリールにおいて、遊星歯車機構は、第１モータの出力軸が回転不能に連結された第１太陽ギアと、第１太陽ギアに噛み合う複数の第１遊星ギアと、第１遊星ギアに噛み合う内歯ギアと、第１遊星ギアを回転方向に間隔を隔てて回転自在に支持し出力軸に回転自在に装着された第１キャリアとを有する第１遊星部、及び第１キャリアに回転不能に設けられ出力軸に回転自在に装着された第２太陽ギアと、第１太陽ギアと内歯ギアとに噛み合う複数の第２遊星ギアと、第２遊星ギアを回転方向に間隔を隔てて回転自在に支持し出力軸に回転自在に装着された第２キャリアとを有する第２遊星部を有し、内歯ギアはスプールの内周面に形成されている。この場合には、２段の遊星歯車により第１モータの回転を大きく減速できる。
【００１２】
発明３に係る電動リールは、発明１又は２に記載のリールにおいて、切換手段は、第１逆転禁止機構の逆転禁止状態及び逆転許可状態を切り換える第１切換機構と、正転禁止機構の正転禁止状態及び正転許可状態を切り換える第２切換機構と、制御手段により制御され第１及び第２切換機構を動作させる動作機構とを有する。この場合には、制御手段により動作機構を制御すると、第１及び第２切換機構が第１逆転禁止機構及び正転禁止機構の状態を切り換える。
【００１３】
発明４に係る電動リールは、発明１から３のいずれかに記載のリールにおいて、スプールに巻き付けられる釣り糸に作用する張力を検出する張力検出手段をさらに備える。この場合には、検出された張力に応じて、たとえば張力が最小になるように繰り出し時の第１モータの回転速度を制御することにより、ライントラブルを解消して仕掛けの自重に応じた最高の速度で釣り糸を繰り出すことができる。また、張力により仕掛けに獲物がかかったことを検出したり、張力に応じて釣り糸の巻き上げ速度を制御したりすることもできる。
【００１４】
発明５に係る電動リールは、発明４に記載のリールにおいて、張力検出手段は、ハンドルの回転軸とリール本体との間に設けられたトルク検出手段と、スプールに巻き付けられた釣り糸の糸巻径を検出する糸巻径検出手段とを有し、トルク検出手段で検出されたトルクを糸巻径に応じて補正することにより張力を検出する。この場合には、ハンドルの回転軸に作用するトルクを検出することにより、比較的空間的に余裕がある位置でトルクを検出できるとともに、糸巻径によりトルクを補正することにより釣り糸に作用する張力を精度良く検出できる。
【００１５】
発明６に係る電動リールは、発明１から５のいずれかに記載のリールにおいて、回転伝達機構に設けられ、スプールの糸繰り出し方向の回転を制動するドラグ機構をさらに備える。この場合には、釣り糸に無理な張力が作用しにくくなり釣り糸が切断しにくくなる。
【００１６】
発明７に係る電動リールは、発明１から６のいずれかに記載のリールにおいて、回転伝達機構に設けられ、ハンドルの回転をスプールに伝達・遮断するクラッチ機構をさらに備える。この場合には、クラッチ機構によりスプールを自由回転可能状態にできるので、釣法や釣り対象物に応じて、クラッチ機構をクラッチオフ状態にした落下と第１モータによる落下とに釣り糸の繰り出しを切り換えできる。
【００１７】
発明８に係る電動リールは、発明３から７のいずれかに記載のリールにおいて、動作機構は、第１切換機構が第１逆転禁止機構を逆転禁止状態に切り換えると第２切換機構が正転禁止機構を正転許可状態にするとともに、第１切換機構が第１逆転禁止機構を逆転許可状態に切り換えると第２切換機構が正転禁止機構を正転禁止状態にするように第１及び第２切換機構を連動して動作させる連動機構と、連動機構を動作させる駆動機構とを有し、制御手段は、駆動機構を制御する。この場合には、ひとつの駆動機構で２つの切換機構を連動して制御できるとともに、第１逆転禁止機構と正転禁止機構とが同時に禁止状態や許可状態にならないので、制御の乱れによる誤動作も解消できる。
【００１８】
発明９に係る電動リールは、発明８に記載のリールにおいて、駆動機構は、リール本体に装着された第２モータと、連動機構が連結され、第２モータの回転を減速する減速機構とを有し、制御手段は、回転方向設定手段により第１モータの回転方向が糸繰り出し方向に設定されると第２モータを回転させて第１逆転禁止機構を逆転許可状態にし、糸巻取方向に設定されると第２モータを回転させて第１逆転禁止機構を逆転禁止状態にする。この場合には、駆動機構が第２モータを有するので、第２モータを制御するだけで２つの切換機構を簡単に動作させることができる。
【００１９】
発明１０に係る電動リールは、発明３から７のいずれかに記載のリールにおいて、動作機構は、第１切換機構を動作させる第１駆動機構と、第２切換機構を動作させる第２駆動機構とを有する。この場合には、それぞれの切換機構を別々に駆動するので、２つの切換機構を連動させる機構が不要になり構成が簡素になる。このため、リール全体の小型化を図ることができる。
【００２０】
発明１１に係る転動リールは、発明１０に記載のリールにおいて、第１及び第２駆動機構は、第１及び第２切換機構を動作させる第１及び第２リニアアクチュエータを各別に有し、制御手段は、回転方向設定手段により第１モータの回転方向が糸繰り出し方向に設定されると第１リニアアクチュエータを制御して第１逆転禁止機構を逆転許可状態しかつ第２リニアアクチュエータを制御して正転禁止機構を前記正転禁止状態にし、糸巻取方向に設定されると第１リニアアクチュエータを制御して第１逆転禁止機構を逆転禁止状態にしかつ第２リニアアクチュエータを制御して正転禁止機構を正転許可状態にする。この場合には、ソレノイドやシリンダなどの直線移動する２つのリニアアクチュエータにより、それぞれの切換機構を駆動し、制御手段によりリニアアクチュエータを制御して切換機構を動作させているので、切換タイミングなどを任意に設定でき、細かな制御を行える。
【００２１】
発明１２に係る電動リールは、発明１から９のいずれかに記載の装置において、第１逆転禁止機構は、第１モータの出力軸に装着され少なくとも第１モータの逆転に連動して回転する第１爪車と、第１爪車に接触する逆転禁止位置と離反する逆転許可位置とに揺動自在にリール本体に装着された第１爪部材とを有し、第２逆転禁止機構は、ハンドルの回転軸に回転不能に設けられた第２爪車と、第２爪車に接触する逆転禁止位置と離反する逆転許可位置とに揺動自在にリール本体に装着されかつ爪車に向けて付勢されている第２爪部材とを有し、正転禁止機構は、第２爪車に接触する正転禁止位置と離反する正転許可位置とに揺動自在にリール本体に装着された第３爪部材を有する。この場合には、爪車と爪部材とで回転を禁止するという簡素な構造で３つの機構を実現できるとともに、正転禁止機構と第２逆転禁止機構と構成の一部を兼用できる。
【００２２】
発明１３に係る電動リールは、発明１２に記載のリールにおいて、第１切換機構は、第１爪部材と一体で揺動する第１アーム部を有し、第２切換機構は、第３爪部材と一体で揺動する第２アーム部を有し、動作機構は第１及び第２アーム部を介して第１及び第２切換機構を動作させる。
【発明の効果】
【００２３】
本発明によれば、第１モータの回転によりスプールを糸繰り出し方向に回転させて釣り糸を繰り出しできるので、周囲の環境にかかわらず仕掛けの自重に応じた一定の速度で釣り糸を繰り出せるようになる。
【発明を実施するための最良の形態】
【００２４】
〔全体構成〕
本発明の一実施形態による電動リールは、図１に示すように、主にハンドル１が装着されたリール本体２と、リール本体２に回転自在に装着されたスプール３と、スプール３内に装着された第１モータ４とを備えている。リール本体２の上部には、水深表示等を行うためのカウンタ５が装着されている。カウンタ５には、制御手段としてのリール制御部１００や回転方向設定手段としての操作キー部９９が設けられている。リール本体２の内部には、図２，図４〜図１０に示すように、ハンドル１及び第１モータ４の回転をスプール３に伝達する回転伝達機構６と、第１モータ４の糸繰り出し方向の逆転を禁止・許可可能な第１逆転禁止機構７と、ハンドル１の糸繰り出し方向の逆転を禁止する第２逆転禁止機構８（図４）と、ハンドル１の糸巻取方向の正転を禁止・許可可能な正転禁止機構９（図４）と、第１逆転禁止機構７と正転禁止機構９の状態を切り換える第２モータ１１を含む切換部１０（図７〜図１０）とが設けられている。
【００２５】
〔リール本体の構成〕
リール本体２は、図１に示すように、フレーム１３と、フレーム１３の両側方を覆う側カバー１４、１５とを有している。フレーム１３は、アルミニウム合金ダイカストの一体成形された部材であり、図２に示すように、左右１対の側板１６、１７と、側板１６、１７を複数箇所で連結する連結部材１８とを有している。下部の連結部材１８には、釣竿を装着するための竿装着脚１９が装着されている。
【００２６】
側カバー１５は、側板１７にボルトにより締結されている。側カバー１５には、回転伝達機構６などを装着するための固定フレーム２０がボルトにより締結されている。したがって側カバー１５を側板１７から外すと、固定フレーム２０も回転伝達機構６の一部や側カバー１５とともに側板１７から外れる。側カバー１４は、側板１６にボルトにより締結されている。側カバー１４には、外部に設けられた蓄電池等の電源と接続するための電源ケーブル用のコネクタ部１４ａ（図１）が前部に斜めに突出して設けられている。側板１６は、周縁部にリブを有する合成樹脂製の板状部材であり、中心部には、第１モータ４を装着するための膨出部２７が外方に突出して形成されている。
【００２７】
〔スプールの構成〕
スプール３は、図３に示すように、内部に第１モータ４を収納可能な筒状の糸巻胴部３ａと、糸巻胴部３ａの外周部に間隔を隔てて形成された左右１対のフランジ部３ｂとを有している。スプール３の一端はフランジ部３ｂから外方に延びており、その延びた端部の内周面に軸受２５が配置されている。スプール３の他端には、ギア板３ｃが固定されている。ギア板３ｃは、図示しないレベルワインド機構にスプール３の回転を伝達するために設けられている。ギア板３ｃのスプール中心側部において、ギア板３ｃと固定フレーム２０との間には転がり軸受２６が装着されている。この２つの軸受２５、２６により、スプール３は、リール本体２に回転自在に支持されている。
【００２８】
〔第１モータの構成〕
第１モータ４は、内部に界磁や電機子を有する直流モータであり、スプール３の糸巻取動作及び糸繰り出し動作に用いられる。第１モータ４は、基端が開口する有底筒状のケース部材３１と、開口を塞ぐためにケース部材３１の基端に固定されたキャップ部材３２と、ケース部材３１とキャップ部材３２とに回転自在に装着された出力軸３０とを有している。ケース部材３１は、有底筒状の部材であり、底部で出力軸３０を回転自在に支持している。
【００２９】
出力軸３０の一端（図３右端）には、後述する第１遊星歯車機構４０の第１太陽ギア４１が回転不能に装着されている。他端（図３左端）には、第１逆転禁止機構７を構成する第１ワンウェイクラッチ５５が装着されている。
【００３０】
〔カウンタの構成〕
カウンタ５は、釣り糸の先端に装着された仕掛けの水深を表示するとともに、第１及び第２モータ４，１１を制御するために設けられている。カウンタ５には、図１に示すように、仕掛けの水深や棚位置を水面からと底からとの２つの基準で表示するための液晶表示ディスプレイからなる水深表示部９８と、水深表示部９８の周囲に配置された複数のスイッチからなる操作キー部９９とが設けられている。
【００３１】
操作キー部９９は、図１１に示すように、水深表示部９８の右側に上下に配置されたモータ巻取のオンオフ用の巻取スイッチＰＷと、第１モータ４を糸繰り出し方向に回転させるための糸繰り出しのオンオフ用の繰り出しスイッチＬＦと、左側に上下に並べて配置されたさそいスイッチＩＢと、糸長と水深との関係に関する設定を行う水深設定モードスイッチＭＤと、棚位置や底位置を設定するための位置設定スイッチＭＳとを有している。
【００３２】
また、カウンタ５の内部には、図１２に示すように、水深表示部９８や第１及び第２モータ４，１１を制御するためのマイクロコンピュータからなるリール制御部１００が設けられている。リール制御部１００には、操作キー部９９と、側カバー１５に揺動自在に装着されスプールの速度や釣り糸の張力を調整するための調整レバー１０１と、スプール３の回転数と回転方向とをたとえば回転方向に並べて配置された２つのリードスイッチで検出するスプールセンサ１０２と、スプール３に巻き付けられる釣り糸に作用する張力を検出するためのトルクセンサ３９と、切換部１０の状態を検出する切換位置センサ１０７と、各種の報知用のブザー１０３と、水深表示部９８と、第１モータ４をＰＷＭ（パルス幅変調）駆動する第１モータ駆動回路１０５と、第２モータ１１をＰＷＭ駆動する第２モータ駆動回路１０６と、他の入出力部とが接続されている。リール制御部１００は、調整レバー１０１の操作量に応じて第１モータ４の巻き上げ速度や巻き上げトルクを制御する。また、繰り出しスイッチＬＦの操作により第２モータ１１を駆動して第１逆転禁止機構７及び正転禁止機構９の状態を切り換える。また、スプールセンサ１０２の出力により釣り糸の先端に取り付けられる仕掛けの水深を算出し、それを水深表示部９８に表示する。さらに、操作キー部９９の操作により底位置や棚位置が設定されると、算出された水深と設定された底位置や棚位置とが一致して仕掛け棚位置や底位置に到達したときに、糸繰り出し方向に回転する第１モータ４を停止させて仕掛けをその位置に配置する。
【００３３】
〔回転伝達機構の構成〕
回転伝達機構６は、図２に示すように、ハンドル１が回転不能に装着されたハンドル軸３３と、ハンドル軸に回転自在に装着されたメインギア３４と、メインギアに噛み合うピニオンギア３５と、ハンドル軸３３の周囲に配置されたドラグ機構３６と、第１モータ４の回転を２段階で減速する第１遊星歯車機構４０とを有している。また、回転伝達機構６は、ハンドル１の回転を伝達・遮断するクラッチ機構１２と、クラッチ機構１２を制御するクラッチ切換機構２１（図４）とを有している。
【００３４】
ハンドル軸３３は、固定フレーム２０に軸受３７とハンドル軸３３の糸繰り出し方向の回転を禁止するローラクラッチ３８とにより回転自在に支持されている。ハンドル軸３３の先端にハンドル１が回転不能に装着され、その内側にドラグ機構３６のスタードラグ３９が螺合している。ハンドル軸３３には、スプール３に作用するトルクにより釣り糸に作用する張力を検出するためのトルクセンサ３９が装着されている。
【００３５】
トルクセンサ３９は、磁歪式のものであり、ハンドル軸３３に装着された磁歪素子３９ａと、磁歪素子３９ａの周囲に配置された検出コイル３９ｂとを有している。磁歪素子３９ａは、たとえばアモルファス合金箔からなる軟磁性体で構成されており、間隔を隔ててハンドル軸３３に巻き付け固定されている。磁歪素子３９ａの表面には、磁気異方性を付与するために異なる角度に傾斜した凹溝が形成されている。検出コイル３９ｂは、磁歪素子３９ａを囲むように円筒状に形成されており、ハンドル軸３３の捩れによる磁歪素子３９ａの透磁率の変化に応じて自己インダクタンスが変化する。この検出コイル３９ｂがリール制御部１００に接続されている。
【００３６】
メインギア３４には、ドラグ機構３６を介してハンドル軸３３の回転が伝達される。ピニオンギア３５は、側カバー１５に立設されたピニオンギア軸４７に回転自在かつ軸方向移動自在に装着されている。ピニオンギア軸４７は、第１モータ４の出力軸３０と同芯に配置されている。ピニオンギア３５の図２左端には、係合凹部３５ａが形成され、右端にはメインギア３４に噛み合う歯部３５ｂが形成されている。またその間には小径のくびれ部３５ｃが形成されている。係合凹部３５ａは、第１遊星歯車機構４０の後述する第２キャリア４６の先端（図２右端）に形成された係合凸部４６ａ（図３）に回転不能に係合する。この係合凹部３５ａと係合凸部４６ａとにより、クラッチ機構１２が構成されている。ピニオンギア３５は、くびれ部３５ｃに係合するクラッチ切換機構２１によりピニオンギア軸４７の軸方向に移動する。
【００３７】
ドラグ機構３６は、スプール３の糸繰り出し方向の回転を制動するものであり、スタードラグ２２と、スタードラグ２２によりメインギア３４に対する押圧力（ドラグ力）が変化する複数のドラグディスク２３とを有する公知の機構である。
【００３８】
第１遊星歯車機構４０は、図３に示すように、モータ４の図３右側の出力軸３０に固定された第１太陽ギア４１と、第１太陽ギア４１に噛み合う、たとえば円周上に等間隔で配置された３つの第１遊星ギア４３と、第１遊星ギア４３を回転自在に支持する第１キャリア４５と、第１キャリア４５に固定された第２太陽ギア４２と、第２太陽ギア４２に噛み合うたとえば円周上に等間隔で配置された３つの第２遊星ギア４４と、第２遊星ギア４４を回転自在に支持する第２キャリア４６とを備えている。第１遊星ギア４３及び第２遊星ギア４４は、スプール３の内周面に形成された内歯ギア３ｄに噛み合っている。第１キャリア４５及び第２キャリア４６は筒状軸となっており、内部を第１モータ４の出力軸３０が貫通している。第２太陽ギア４２及び第２キャリア４６は出力軸３０に対して相対回転可能に設けられている。また、第２キャリア４６は、ギア板３ｃに回転自在に装着されている。第２遊星ギア４４と、第１キャリア４５との間には、滑りやすい性質の合成樹脂製のワッシャ部材２９が装着されている。このようなワッシャ部材２９を装着すると、第１キャリア４５の遊びが減少して第１遊星歯車機構４０の騒音の低下を図ることができる。
【００３９】
〔クラッチ機構の構成〕
クラッチ機構１２は、スプール３を糸巻取可能状態と自由回転可能状態とに切換可能な機構である。クラッチ機構１２は、図２に示すように、前述したピニオンギア３５の係合凹部３５ａと第２キャリア４６の係合凸部４６ａとで構成されている。ピニオンギア３５が、左方に移動して係合凹部３５ａと第２キャリア４６の係合凸部４６ａと係合した状態がクラッチオン状態でなり、離反した状態がクラッチオフ状態である。クラッチオン状態では、スプール３は第１モータ４による糸巻取及び糸繰り出し可能状態になり、クラッチオン状態では、スプール３は自由回転可能状態になる。
【００４０】
〔クラッチ切換機構の構成〕
クラッチ切換機構２１は、クラッチ機構１２のオンオフ状態を切り換えるものである。クラッチ切換機構２１は、図４〜図６に示すように、側カバー１５に揺動自在に装着されたクラッチ操作レバー５０と、クラッチ操作レバー５０の揺動によりハンドル軸３３に向かって進退するクラッチカム５１と、クラッチカム５１の進退移動によりピニオンギア軸４７方向に移動するクラッチヨーク５２とを有している。
【００４１】
クラッチ操作レバー５０は、スプール３の後方かつ上方で側カバー１５に揺動自在に装着されている。クラッチ操作レバー５０は、図４に示すクラッチオフ位置と図５及び図６に示すクラッチオン位置との間で揺動自在である。
【００４２】
クラッチカム５１は、進退移動によりクラッチヨーク５２をスプール軸外方に移動させるものである。クラッチカム５１は、第１及び第２片５１ａ，５１ｂを有する略Ｃ字状の板状部材であり、第１片５１ａが第２片５１ｂより長さが長く形成されている。各片５１ａ，５１ｂには、傾斜カムからなる１対のカム突起５１ｃ，５１ｄが形成されている。このカム突起５１ｃ，５１ｄに対向するクラッチヨーク５２の両端には、クラッチオフ状態のときにカム突起５１ｃ，５１ｄに乗り上げ可能なカム受け（図示せず）が形成されている。また、第１片５１ａの先端は、クラッチオフ状態では、第２逆転禁止機構８を構成する第２ラチェットホイール６２の背面まで延びている。この第１片５１ａを押圧可能に第２ラチェットホイール６２の背面側には軸方向に沿って突出する復帰突起６２ｂが設けられている。この復帰突起６２ｂは、クラッチオフ状態でハンドル１が糸巻取方向に回転するとクラッチ機構１２をクラッチオン状態に戻すために設けられている。具体的には、ハンドル１が糸巻取方向に回転すると、第１片５１ａを復帰突起６２ｂが押圧してクラッチカム５１をクラッチオン位置に戻す。
【００４３】
クラッチヨーク５２は、ピニオンギア軸４７の外周側に配置されており、２本のガイド軸５３によってピニオンギア軸４７の軸心と平行に移動可能に支持されている。また、クラッチヨーク５２はその中央部にピニオンギア３５のくびれ部３５ｃに係合する半円弧状の係合部５２ａを有している。また、クラッチヨーク５２を支持するガイド軸５３の外周でクラッチヨーク５２と側カバー１５との間のガイド軸５３の外周にはコイルばね５４が圧縮状態で配置されており、クラッチヨーク５２はコイルばね５４によって常に内方（側板１７側）に付勢されている。
【００４４】
このような構成では、通常状態ではピニオンギア３５は内方のクラッチ係合位置に位置しており、その係合凹部３５ａと第２キャリア４６の係合凸部４６ａとが係合してクラッチ機構１２がクラッチオン状態となっている。一方、クラッチヨーク５２によってピニオンギア３５が外方に移動した場合は、係合凹部３５ａと係合凸部４６ａとの係合が外れ、クラッチオフ状態となる。
【００４５】
〔第１逆転禁止機構の構成〕
第１逆転禁止機構７は、第１モータ４の逆転（図９矢符Ａ方向の回転）を禁止する禁止状態と許可する許可状態とに切り換え可能な機構である。第１逆転禁止機構７は、図７〜図９に示すように、第１モータ４の出力軸３０に装着された第１ワンウェイクラッチ５５と、第１ワンウェイクラッチ５５の外輪５５ａに回転不能に装着された支持軸５６と、支持軸５６に回転不能に装着された第１ラチェットホイール５７と、第１ラチェットホイール５７に食い込み可能な第１ラチェット爪５８とを有している。
【００４６】
第１ワンウェイクラッチ５５は、図９に示すように、外輪５５ａと、内輪５５ｂと、両輪５５ａ，５５ｂの間に配置されたローラ５５ｃとを有する内輪遊転型のローラクラッチである。外輪５５ａの外周面には径方向に突出する複数の回り止め凸部５５ｄが周方向に間隔を隔てて形成されている。
【００４７】
支持軸５６は、基端に設けられ第１ワンウェイクラッチ５５を係止可能な係止部５６ａと、中間部に設けられ側板１６の膨出部２７に回転自在に支持される支持部５６ｂと、先端に設けられ第１ラチェットホイール５７を回転不能に装着するホイール装着部５６ｃとを有している。係止部５６ａは、外輪５５ａの回り止め凸部５５ｄに回転不能に基端側に形成され、第１ワンウェイクラッチ５５を収納可能な凹穴で構成されている。支持部５６ｂは、膨出部２７を貫通して膨出部２７に回転自在に支持されている。膨出部２７と支持部５６ｂとの間にはＯリング５９が装着されており、外部から第１モータ４側への液体の浸入を阻止している。ホイール装着部５６ｃには、平行な面取り部５６ｄが形成されており、第１ラチェットホイール５７を回転不能に装着できる。
【００４８】
第１ラチェットホイール５７は、外周部に径方向に突出するたとえば６つのラチェット歯５７ａが形成されたものである。第１ラチェットホイール５７の中心部には、ホイール装着部５６ｃに係止される長孔５７ｂが形成されている。第１ラチェットホイール５７は、ねじにより支持軸５６に固定されている。
【００４９】
第１ラチェット爪５８は、膨出部２７に揺動自在に装着されている。第１ラチェット爪５８は、第１ラチェットホイール５７に接触して第１ラチェットホイール５７の逆転を阻止する図７に示す逆転禁止位置と、そこから離反して逆転を許可する図８に示す逆転許可位置との間で揺動する。第１ラチェット爪５８は、第１捩じりコイルばね６０により逆転禁止位置に向けて付勢されている。第１捩じりコイルばね６０は、第１ラチェット爪５８の揺動軸に巻回され、一端が第１ラチェット爪５８に他端が膨出部２７にそれぞれ係止されている。第１ラチェットホイール５７の逆転が阻止されると、第１ワンウェイクラッチ５５の外輪５５ａの逆転も阻止され、第１ワンウェイクラッチ５５を介して第１モータ４の逆転が禁止され、第１モータ４は矢符Ｂに示す糸巻取方向の正転だけが可能になる。また、離反して逆転が許可されると第１ワンウェイクラッチ５５が逆転可能になり、第１モータ４の逆転が可能になり、釣り糸をスプール３から繰り出すことができる。第１ラチェット爪５８には、切換部１０を構成する径方向の延びる第１切換アーム６１が一体で形成されている。
【００５０】
〔第２逆転禁止機構の構成〕
第２逆転禁止機構８は、図４〜図６に示すように、ハンドル軸３３の糸繰り出し方向の逆転（図４矢符Ｃ方向の回転）を禁止することにより、第１モータ４駆動時にハンドル１及び第１遊星歯車機構４０の第２キャリア４６が回転するのを防止するために設けられている。第２逆転禁止機構８は、ハンドル軸３３に回転不能に装着された第２ラチェットホイール６２と、第２ラチェットホイール６２に食い込み可能な第２ラチェット爪６３と、第２ラチェット爪６３を第２ラチェットホイール６２に向けて付勢するコイルばね６４とを有している。
【００５１】
第２ラチェットホイール６２はトルクセンサ３９と固定フレーム２０との間でハンドル軸３３に回転不能に装着されている。第２ラチェットホイール６２の外周側には径方向に突出するの第２ラチェット歯６２ａが形成されている。
【００５２】
第２ラチェット爪６３は固定フレーム２０に揺動自在に装着されている。またコイルばね６４は、第２ラチェット爪６３の基端と固定フレーム２０とに両端が係止され、第２ラチェット爪６３を第２ラチェットホイール６２に向けて付勢している。これにより、第２逆転禁止機構８は常時ハンドル軸３３の糸巻取方向の回転を禁止している。なお、この電動リールには、このような第２逆転禁止機構８に加えて、ハンドル軸３３の逆転を瞬時に禁止するローラクラッチ３８が側カバー１５とハンドル軸３３との間に配置されている。
【００５３】
〔正転禁止機構の構成〕
正転禁止機構９は、図４〜図６に示すように、第２ラチェットホイール６２に食い込んで第２ラチェットホイール６２を介してハンドル軸３３の正転（図４矢符Ｄ方向の回転）を禁止するものである。正転禁止機構９は、第２ラチェットホイール６２に接触する図６に示す正転禁止位置と離反する図４及び図５に示す正転許可位置とに揺動自在に固定フレーム２０に装着された第３ラチェット爪６５を有している。第３ラチェット爪６５は、第２捩じりコイルばね６７により正転禁止位置側に付勢されている。これにより、第１遊星歯車機構４０の第２キャリア４６の回転が阻止され、第１遊星歯車機構４０を介して第１モータ４の糸繰り出し方向の回転がスプール３に減速して伝達される。また、第１モータ４によりスプール３を糸繰り出し方向に回転させて釣り糸を繰り出すとき、ハンドル１が回転しなくなる。第３ラチェット爪６５には、切換部１０を構成する径方向の延びる第２切換アーム６６が一体形成されている。
【００５４】
〔切換部の構成〕
切換部１０は、図７〜図１０に示すように、第１逆転禁止機構７の逆転禁止状態及び前記逆転許可状態を切り換える第１切換機構７０と、正転禁止機構９の正転禁止状態及び正転許可状態を切り換える第２切換機構７１と、リール制御部１００により制御され、第１及び第２切換機構７０，７１を動作させる第２モータ１１を含む動作機構７２とを有している。
【００５５】
第１切換機構７０は、前述した第１切換アーム６１と、第１切換アーム６１を揺動させる揺動機構７３とを有している。揺動機構７３は、前後方向に往復移動する移動軸７５と、移動軸７５を案内する案内部７６と、移動軸７５を前後に往復移動させる第１ギアカム部７７とを有している。移動軸７５は、軸部７８と、軸部７８の先端に設けられた移動突起７９と、軸部７８の基端に固定されたカム受け部８０とを有している。
【００５６】
軸部７８は、案内部７６に案内される棒状の部材であり、先端に丸棒状の移動突起７９が図９手前側に突出して固定されている。軸部７８が図７左方に移動すると、移動突起７９が第１切換アーム６１に接触して第１ラチェット爪５８を矢印Ｅ方向に揺動させ、逆転禁止位置から逆転許可位置に揺動させる。また、図７右方に移動すると、第１捩じりコイルばね６０の付勢力により第１ラチェット爪５８は、逆転禁止位置から逆転許可位置に揺動する。
【００５７】
カム受け部８０は、軸部７８の基端に固定された取付部８０ａと、取付部８０ａと一体形成されたカム溝部８０ｂとを有している。取付部８０ａは、軸部７８の基端に固定された移動方向に長い棒状の部分である。カム溝部８０ｂは移動方向と交差する方向に長い板状の部分であり、そこには、第１ギアカム部７７に係合する上下に長いカム溝８０ｃが形成されている。また、カム溝部８０ｂの上部には、切換位置センサ１０７を構成する検出用の磁石８１が外側に向けて固定されている。切換位置センサ１０７は、磁石８１と、磁石８１を検出する１対のリードスイッチ８２ａ，８２ｂとを有している。１対のリードスイッチ８２ａ，８２ｂは、移動軸７５の移動方向に間隔を隔てて配置されている。具体的には、移動軸７５がストロークの左端の繰出位置（図８）及び右端の巻取位置（図７）に位置したとき磁石８１が面する位置に１対のリードスイッチ８２ａ，８２ｂは配置されている。したがって、リードスイッチ８２ａがオンすると繰出位置に、リードスイッチ８２ｂがオンすると巻取位置に移動軸７５が位置していることになる。案内部７６は、側板１６に固定されており、内部に移動軸７５が貫通する案内孔７６ａが形成されている。第１ギアカム部７７は、動作機構７２に連結された第１ギア７７ａと、第１ギア７７ａの外側面に固着され軸方向外方に突出する第１カムピン７７ｂとを有している。第１カムピン７７ｂは、カム溝８０ｃに係合している。この結果、第１ギアカム部７７の回転により移動軸７５が往復移動する。
【００５８】
第２切換機構７１は、第２切換アーム６６と、動作機構７２に連結された第２ギアカム部８３とを有している。第２ギアカム部８３は、動作機構７２に回転自在に装着された第２ギア８３ａと、第２ギア８３ａの外側面に固着され軸方向外方に突出する第２カムピン８３ｂとを有している。第２切換アーム６６は、第２カムピン８３ｂに接触可能であり、第２ギア８３ａが回転すると第２カムピン８３ｂにより押圧されて第３ラチェット爪６５が正転許可位置に揺動する。また、さらに回転して押圧が解除されると第２捩じりコイルばね６７により第３ラチェット爪６５が正転禁止位置側に戻る。
【００５９】
動作機構７２は、第１切換機構７０が第１逆転禁止機構７を逆転禁止状態に切り換えると第２切換機構７１が正転禁止機構９を正転許可状態にするとともに、第１切換機構７０が第１逆転禁止機構７を逆転許可状態に切り換えると第２切換機構７１が正転禁止機構９を正転禁止状態にするように第１及び第２切換機構７０，７１を連動して動作させる連動機構８５と、リール制御部１００により制御され連動機構８５を動作させる駆動機構８６とを有している。
【００６０】
連動機構８５は、第１ギア７７ａに噛み合う第３ギア８７と、第３ギア８７と連動軸８９を介して連結された第４ギア８８とを有している。第４ギア８８は、第２ギア８３ａに噛み合っている。ここて、第１ギア７７ａと第２ギア８３ａは歯数が同じギアであり、第３ギア８７と第４ギア８８も歯数が同じギアである。また、第１及び第２カムピン７７ｂ，８３ｂの回転位相は、第１カムピン７７ｂにより移動軸７５が図７に示すように右方のストローク端に到達し第１ラチェット爪５８が逆転禁止位置にあるとき、第３ラチェット爪６５が図５に示すように正転許可位置にあるように設定されている。これにより、前述したように、連動機構８５は、第１切換機構７０が第１逆転禁止機構７を逆転禁止状態に切り換えると第２切換機構７１が正転禁止機構９を正転許可状態にするとともに、第１切換機構７０が第１逆転禁止機構７を逆転許可状態に切り換えると第２切換機構７１が正転禁止機構９を正転禁止状態にする。
【００６１】
駆動機構８６は、第２モータ１１と、第２モータ１１の回転を減速する第２遊星歯車機構９０とを有している。第２モータ１１は、リール本体２の前部で両側板１６，１７の間に装着された装着筒部９１の内部に収納されている。第２モータ１１は、第２ワンウェイクラッチ１１ｂにより一方向にのみ回転可能になっている。装着筒部９１の両端には雨滴状の装着板９１ａ，９１ｂ設けられており、装着板９１ａ，９１ｂが側板１６，１７の内側面に固定されている。この装着板９１ａ，９１ｂに連動軸８９が回転自在に支持されている。
【００６２】
第２遊星歯車機構９０は、図１０に示すように、第２モータ１１の図１０右側の出力軸１１ａに固定された第３太陽ギア９２と、第３太陽ギア９２に噛み合う、たとえば円周上に等間隔で配置された３つの第３遊星ギア９３と、第３遊星ギア９３を回転自在に支持する第３キャリア９５と、第３キャリア９５に固定された第４太陽ギア９６と、第４太陽ギア９６に噛み合うたとえば円周上に等間隔で配置された３つの第４遊星ギア９４と、第４遊星ギア９４を回転自在に支持する第４キャリア９７とを備えている。第３遊星ギア９３及び第４遊星ギア９４は、装着筒部９１の内周面に形成された内歯ギア９１ｃに噛み合っている。第３キャリア９５及び第４キャリア９７は筒状軸となっており、内部を第２モータ１１の出力軸１１ａが貫通している。第４太陽ギア９６及び第４キャリア９７は出力軸１１ａに対して相対回転可能に設けられている。また、第４キャリア９７には、第１ギア７７ａが回転不能に連結されており、第１ギア７７ａとともに装着筒部９１に回転自在に装着されている。
【００６３】
〔リール制御部の動作〕
次に、リール制御部１００によって行われる具体的な制御処理を、図１３以降の制御フローチャートに従って説明する。
【００６４】
電動リールに外部電源が接続されると、図１３のステップＳ１において初期設定を行う。この初期設定ではスプール回転数の計数値をリセットしたり、各種の変数やフラグをリセットしたり、変速段を１速にしたりする。
【００６５】
次にステップＳ２では表示処理を行う。表示処理では、水深表示等の各種の表示処理を行う。ステップＳ３では、操作キー部９９のいずれかのスイッチや調整レバー１０１が操作されたか否かを判断する。またステップＳ４ではスプール３が回転しているか否かを判断する。この判断は、スプールセンサ１０２の出力により判断する。ステップＳ５では、スプールセンサ１０２の出力により算出された水深ＬＸが６ｍ以上か否かを判断する。ステップＳ６ではその他の指令や入力がなされたか否かを判断する。
【００６６】
操作キー部９９や調整レバー１０１によるキー入力がなされた場合にはステップＳ３からステップＳ７に移行してキー入力処理を実行する。このキー入力処理では、巻取スイッチＳＷが操作されると、第１モータ４の正転をオンオフする。また、繰り出しスイッチＬＦが操作されると、第１モータ４の逆転をオンオフする。調整レバー１０１が操作されると、その揺動確度に応じて第１モータ４の増減速又は第１モータ４のトルクの増減を行う。さらに釣りモード設定スイッチＬＦが操作されると、糸送りモードや棚停止モード等が設定される。
【００６７】
スプール３の回転が検出された場合にはステップＳ４からステップＳ８に移行する。ステップＳ８では後述する各動作モード処理を実行する。水深ＬＸが６ｍ以上のときは、ステップＳ５からステップＳ９に移行する。ステップＳ９では、その水深ＬＸでの仕掛けの停止時間が６秒以上か否かを判断する。６秒以上の場合は、仕掛けが棚停止していると考えられるので、ステップＳ１０に移行してその水深ＬＸを棚位置Ｍにセットする。その他の指令あるいは入力がなされた場合にはステップＳ６からステップＳ１１に移行してその他の処理を実行する。
【００６８】
ステップＳ７のキー入力処理では、図１４のステップＳ２１で繰り出しスイッチＬＦがオンしたか否かを判断するステップＳ２２では、巻取スイッチＰＷかオンしたか否かを判断する。ステップＳ２３では調整レバー１０１等の他のキーが操作されたか否かを判断する。
【００６９】
繰り出しスイッチＬＦがオンしたと判断すると、ステップＳ２１からステップＳ２４に移行する。ステップＳ２４では、第１モータ４が回転しているか否かを判断する。第１モータ４が回転している場合にはステップＳ２５に移行して第１モータ４をオフする。第１モータ４が回転していない場合には、ステップＳ２４からステップＳ２６に移行する。ステップＳ２６では、移動軸７５が図８に示す繰出位置にいるか否かを判断する。この判断は切換位置センサ１０７のリードスイッチ８２ａがオンしているか否かにより判断する。移動軸７５が繰出位置にいない場合には、ステップＳ２７に移行して第２モータ１１を一方向に回転させてステップＳ２６に戻る。移動軸７５が繰出位置に到達するとステップＳ２６からステップＳ２８に移行する。ステップＳ２８では第２モータ１１をオフする。これにより、移動軸７５が繰出位置に配置される。移動軸７５が繰出位置にある状態では、図８に示すように、移動突起７９が第１切換アーム６１に接触して引っ張り、第１ラチェット爪５８が第１ラチェットホイール５７から離反して第１逆転禁止機構７は逆転許可状態になる。このとき、図６に示すように、第２カムピン８３ｂが第２切換アーム６６から離反して第３ラチェット爪６５が第２捩じりコイルばね６７の作用により第２ラチェットホイールに接触し、正転禁止機構９は正転禁止状態になる。この結果、第１モータ４が逆転可能になる。そして、ステップＳ２９で第１モータ４を逆転させると、その回転が第１遊星歯車機構４０を介してスプール３に伝達されてスプール３が糸繰り出し方向に回転し、スプールに巻き付けられた釣り糸が繰り出される。このとき、たとえば、トルクセンサ３９により検出されたトルクをスプールの回転位置に基づき検出される糸巻径により補正して釣り糸に作用する張力を算出し、張力が最小になるように第１モータ４の逆転速度を自動的に調整する。これにより、仕掛けの自重に応じた一定の速度で釣り糸を繰り出せるようになる。
【００７０】
巻取スイッチＰＷがオンしたと判断すると、ステップＳ２２からステップＳ３０に移行する。ステップＳ３０では、第１モータ４が回転しているか否かを判断する。第１モータ４が回転している場合にはステップＳ３１に移行して第１モータ４をオフする。第１モータ４が回転していない場合には、ステップＳ３０からステップＳ３２に移行する。ステップＳ３２では、移動軸７５が図７に示す巻取位置にいるか否かを判断する。この判断は切換位置センサ１０７のリードスイッチ８２ｂがオンしているか否かにより判断する。移動軸７５が巻取位置にいない場合には、ステップＳ３３に移行して第２モータ１１を一方向に回転させてステップＳ３２に戻る。移動軸７５が巻取位置に到達するとステップＳ３２からステップＳ３４に移行する。ステップＳ３４では第２モータ１１をオフする。これにより、移動軸７５が巻取位置に配置される。移動軸７５が巻取位置にある状態では、図７に示すように、移動突起７９が第１切換アーム６１から離反し、第１ラチェット爪５８が第１捩じりコイルばね６０の作用により第１ラチェットホイール５７に接触して第１逆転禁止機構７は逆転禁止状態になる。このとき、図４及び図５に示すように、第２カムピン８３ｂが第２切換アーム６６を押圧して第３ラチェット爪６５が第２捩じりコイルばね６７の付勢力に抗して第２ラチェットホイールから離反し、正転禁止機構９は正転許可状態になる。この結果、第１モータ４が正転可能になる。そして、ステップＳ３５で第１モータ４を正転させると、その回転が第１遊星歯車機構４０を介してスプール３に伝達されてスプール３が糸巻取方向に回転し、スプールに釣り糸が巻き付けられる。このとき、調整レバー１０１の操作により速度が変化したり釣り糸に作用する張力が変化したりする。
【００７１】
ステップＳ８の各動作モード処理では、図１５のステップＳ４１でスプール３の回転方向が糸繰り出し方向か否かを判断する。この判断は、スプールセンサ１０２のいずれのリードスイッチが先にパルスを発したか否かにより判断する。スプール３の回転方向が糸繰り出し方向と判断するとステップＳ４１からステップＳ４２に移行する。ステップＳ４２では、スプールセンサ１０２から出力されるパルスの計数値が減少する毎に計数値に基づきリール制御部１００内に記憶された水深と計数値との関係を示すデータを読み出し水深ＬＸを算出する。この水深がステップＳ２の表示処理で表示される。
【００７２】
ステップＳ４３では、棚停止モードか否かを判断する。ステップＳ４４では、他のモードか否かを判断する。他のモードではない場合には、各動作モード処理を終わりメインルーチンに戻る。
【００７３】
棚停止モードと判断するステップＳ４３からステップＳ４５に移行する。ステップＳ４５では、得られた水深ＬＸが棚位置Ｍに一致したか、つまり、仕掛けが棚に到達したか否かを判断する。棚位置は、前述した所定時間以上の停止による自動セットの他に、仕掛けが棚に到達したときに位置設定スイッチＭＳを押すことでセットされる。仕掛けが棚位置に到達するとステップＳ４５からステップＳ４６に移行する。ステップＳ４６では、仕掛けが棚にあることを報知するためにブザー１０３を鳴らす。ステップＳ４７では、第１モータ４をオフするとともに、第２モータ１１を動作させて移動軸７５を巻取位置に配置し、第１逆転禁止機構７を逆転許可状態から逆転禁止状態にする。これにより、第１モータ４が停止するとともに逆転不能になり、スプール３の糸繰り出し方向の回転が停止する。水深ＬＸが棚位置Ｍに到達していない場合はステップＳ４６，Ｓ４７をスキップする。他のモードと判断するとステップＳ４４からステップＳ４８に移行し、設定された他のモード処理を実行する。
【００７４】
スプール３の回転が糸巻き取り方向と判断するとステップＳ４１からステップＳ５０に移行する。ステップＳ５０では、スプールセンサ１０２の計数値が増加する毎にリール制御部１００内に記憶されたデータを読み出し水深ＬＸを算出する。この水深がステップＳ２の表示処理で表示される。ステップＳ５１では、水深が船縁停止位置に一致したか否かを判断する。船縁停止位置まで巻き取っていない場合にはメインルーチンに戻る。船縁停止位置に到達するとステップＳ５１からステップＳ５２に移行する。ステップＳ５２では、仕掛けが船縁にあることを報知するためにブザー１０３を鳴らす。ステップＳ５３では、第１モータ４をオフする。これにより魚が釣れたときに取り込みやすい位置に魚が配置される。この船縁停止位置は、たとえば水深６ｍ未満で所定時間以上スプール３が停止しているとセットされる。
【００７５】
ここでは、第１モータ４の回転によりスプール３を糸繰り出し方向に回転させて釣り糸を繰り出しできるので、周囲の環境にかかわらず仕掛けの自重に応じた一定の速度で釣り糸を繰り出せるようになる。
【００７６】
また、第１切換機構７０が第１逆転禁止機構７を逆転許可状態に切り換えると第２切換機構７１が正転禁止機構９を正転禁止状態にするように第１及び第２切換機構７０，７１を連動して動作させるように連動機構７２を設けたので、ひとつの駆動機構８６で２つの切換機構７０，７１を連動して制御できるとともに、第１逆転禁止機構７と正転禁止機構９とが同時に禁止状態や許可状態にならないので、制御の乱れによる誤動作も解消できる。
【００７７】
〔他の実施形態〕
（ａ）前記実施形態では、動作機構に連動機構を設けて第２モータを有するひとつの駆動機構で２つの切換機構を動作させるようにしたが、第１及び第２切換機構を第１及び第２駆動機構で別々に駆動するようにしてもよい。たとえば、第１及び第２切換アームを各別にソレノイドなどの第１及び第２リニアアクチュエータにより揺動させてもよい。この場合、リール制御手段によりソフトウェアにより第１及び第２切換機構を制御すればよい。
【００７８】
たとえば、繰り出しスイッチＬＦにより第１モータ４の回転方向が糸繰り出し方向に設定されると第１リニアアクチュエータを制御して第１逆転禁止機構を逆転許可状態しかつ第２リニアアクチュエータを制御して正転禁止機構を正転禁止状態にし、巻取スイッチＰＷにより糸巻取方向に設定されると第１リニアアクチュエータを制御して第１逆転禁止機構を逆転禁止状態にしかつ第２リニアアクチュエータを制御して正転禁止機構を正転許可状態にすればよい。この場合には、ソレノイドやシリンダなどの直線移動する２つのリニアアクチュエータにより、それぞれの切換機構を駆動し、制御手段によりリニアアクチュエータを制御して切換機構を動作させているので、切換タイミングなどを任意に設定でき、細かな制御を行える。
【００７９】
（ｂ）前記実施形態では、スプール３内に第１モータ４を配置したが、スプール３外に第１モータ４が配置される電動リールにも本発明を適用できる。この場合も前記実施形態と同様に第１モータ４の出力軸に第１逆転禁止機構を設ければよい。
【００８０】
（ｃ）前記実施形態では、回転方向設定手段として２つのスイッチＰＷ，ＬＦを用いたが、調整レバーのようなレバー体の揺動角度により回転方向を設定してもよい。たとえば、後方に揺動させたときは巻取で前方に揺動させたときは繰り出しに設定してもよい。
【図面の簡単な説明】
【００８１】
【図１】本発明の一実施形態による電動リールの斜視図。
【図２】その縦断面図。
【図３】モータ装着部分の断面拡大図。
【図４】クラッチオフ時のハンドル側の側カバーを外した状態の側面図。
【図５】クラッチオンかつ正転許可時のハンドル側の側カバーを外した状態の側面図。
【図６】クラッチオンかつ正転禁止時のハンドル側の側カバーを外した状態の側面図。
【図７】第１逆転禁止機構の逆転禁止時のハンドルと逆側の側カバーを外した状態の側面図。
【図８】第１逆転禁止機構の逆転許可時のハンドルと逆側の側カバーを外した状態の側面図。
【図９】切換部を中心とした分解斜視図。
【図１０】駆動機構の縦断面図。
【図１１】カウンタの平面拡大図。
【図１２】リールの制御系の構成を示すブロック図。
【図１３】リール制御部のメインルーチンの制御フローチャート。
【図１４】リール制御部のキー入力処理ンの制御フローチャート。
【図１５】リール制御部の各動作モード処理の制御フローチャート。
【符号の説明】
【００８２】
２  リール本体
３  スプール
３ｄ  内歯ギア
４  第１モータ
５  カウンタ
６  回転伝達機構
７  第１逆転禁止機構
８  第２逆転禁止機構
９  正転禁止機構
１０  切換部
１１  第２モータ
１２  クラッチ機構
３９  トルクセンサ
４０  第１遊星歯車機構
４１，４２  第１及び第２太陽ギア
４３，４４  第１及び第２遊星ギア
４５，４６  第１及び第２キャリア
７０  第１切換機構
７１  第２切換機構
７２  動作機構
８５  駆動機構
８６  連動機構
１００  リール制御部
ＬＦ  繰り出しスイッチ
ＰＷ  巻取スイッチ
【図１】
2005065653.tif 000003
【図２】
2005065653.tif 000004
【図３】
2005065653.tif 000005
【図４】
2005065653.tif 000006
【図５】
2005065653.tif 000007
【図６】
2005065653.tif 000008
【図７】
2005065653.tif 000009
【図８】
2005065653.tif 000010
【図９】
2005065653.tif 000011
【図１０】
2005065653.tif 000012
【図１１】
2005065653.tif 000013
【図１２】
2005065653.tif 000014
【図１３】
2005065653.tif 000015
【図１４】
2005065653.tif 000016
【図１５】
2005065653.tif 000017